(57)【要約】【課題】積層した可搬型の媒体のうち表面に位置するその媒体に関する情報を処理するような場合、表面に位置していない可搬型の媒体に関する情報を処理してしまうことを防止する情報処理装置を提供する。【解決手段】情報処理装置の読出手段は、可搬型の媒体に付加された記憶媒体に記憶されている符号を読み出し、判断手段は、前記読出手段によって読み出された符号に基づいて、積層した前記可搬型の媒体のうち、表面に位置する可搬型の媒体を判断し、処理制御手段は、前記判断手段によって表面に位置すると判断された可搬型の媒体に付加された記憶媒体に記憶されている符号に応じて、該可搬型の媒体に関する情報を処理装置に処理させるように制御する。【選択図】図１
2009009517.tif 000002
【特許請求の範囲】
【請求項１】
可搬型の媒体に付加された記憶媒体に記憶されている符号を読み出す読出手段と、
前記読出手段によって読み出された符号に基づいて、積層した前記可搬型の媒体のうち、表面に位置する可搬型の媒体を判断する判断手段と、
前記判断手段によって表面に位置すると判断された可搬型の媒体に付加された記憶媒体に記憶されている符号に応じて、該可搬型の媒体に関する情報を処理装置に処理させるように制御する処理制御手段
を具備することを特徴とする情報処理装置。
【請求項２】
前記読出手段によって読み出された符号を記憶する記憶手段
をさらに具備し、
前記判断手段が行う判断は、以前に前記読出手段によって読み出された符号を前記記憶手段から取り出し、該符号及び前記読出手段によって読み出された符号に応じて行う
ことを特徴とする請求項１に記載の情報処理装置。
【請求項３】
積層した可搬型の媒体に付加された記憶媒体に記憶されている符号を、積層された順番を特定できるように記憶する記憶手段と、
前記可搬型の媒体に付加された記憶媒体に記憶されている符号を読み出す読出手段と、
前記読出手段によって読み出された符号及び前記記憶手段に記憶されている符号に基づいて、前記積層した可搬型の媒体のうち、表面に位置する可搬型の媒体を判断する判断手段と、
前記判断手段によって表面に位置すると判断された可搬型の媒体に付加された記憶媒体に記憶されている符号に応じて、該可搬型の媒体に関する情報を処理装置に処理させるように制御する処理制御手段
を具備することを特徴とする情報処理装置。
【請求項４】
操作者の操作によって、積層した可搬型の媒体のうち、既にめくられた可搬型の媒体に付加された記憶媒体に記憶されている符号を読み出す第１の読出手段と、
操作者の操作によって、前記積層した可搬型の媒体のうち、めくられた残りの可搬型の媒体に付加された記憶媒体に記憶されている符号を読み出す第２の読出手段と、
前記第１の読出手段によって読み出された符号及び前記第２の読出手段によって読み出された符号に基づいて、積層した前記可搬型の媒体のうち、表面に位置する可搬型の媒体を判断する判断手段と、
前記判断手段によって表面に位置すると判断された可搬型の媒体に付加された記憶媒体に記憶されている符号に応じて、該可搬型の媒体に関する情報を処理装置に処理させるように制御する処理制御手段
を具備することを特徴とする情報処理装置。
【請求項５】
操作者の操作によって、積層した可搬型の媒体のうち、既にめくられた可搬型の媒体に付加された記憶媒体に記憶されている符号を読み出す第１の読出手段と、
操作者の操作によって、前記積層した可搬型の媒体のうち、めくられた残りの可搬型の媒体に付加された記憶媒体に記憶されている符号を読み出す第２の読出手段と、
前記第１の読出手段によって読み出された符号及び前記第２の読出手段によって読み出された符号に基づいて、前記可搬型の媒体が抜き取られたか否かを判断する判断手段
を具備することを特徴とする情報処理装置。
【請求項６】
符号を記憶する記憶媒体をそれぞれに付加している複数の可搬型の媒体と、
前記可搬型の媒体に関する情報を記憶する記憶装置と、
前記処理制御手段による制御によって、前記可搬型の媒体に関する情報を処理する処理装置
をさらに具備し、
前記処理制御手段は、前記記憶装置から前記可搬型の媒体に関する情報を取り出す
ことを特徴とする請求項１から４のいずれか一項に記載の情報処理装置。
【請求項７】
コンピュータを、
可搬型の媒体に付加された記憶媒体に記憶されている符号を読み出す読出手段と、
前記読出手段によって読み出された符号に基づいて、積層した前記可搬型の媒体のうち、表面に位置する可搬型の媒体を判断する判断手段と、
前記判断手段によって表面に位置すると判断された可搬型の媒体に付加された記憶媒体に記憶されている符号に応じて、該可搬型の媒体に関する情報を処理装置に処理させるように制御する処理制御手段
として機能させることを特徴とする情報処理プログラム。
【請求項８】
コンピュータを、
積層した可搬型の媒体に付加された記憶媒体に記憶されている符号を、積層された順番を特定できるように記憶装置に記憶させるように制御する記憶手段と、
前記可搬型の媒体に付加された記憶媒体に記憶されている符号を読み出す読出手段と、
前記読出手段によって読み出された符号及び前記記憶装置に記憶されている符号に基づいて、前記積層した可搬型の媒体のうち、表面に位置する可搬型の媒体を判断する判断手段と、
前記判断手段によって表面に位置すると判断された可搬型の媒体に付加された記憶媒体に記憶されている符号に応じて、該可搬型の媒体に関する情報を処理装置に処理させるように制御する処理制御手段
として機能させることを特徴とする情報処理プログラム。
【請求項９】
コンピュータを、
操作者の操作によって、積層した可搬型の媒体のうち、既にめくられた可搬型の媒体に付加された記憶媒体に記憶されている符号を読み出す第１の読出手段と、
操作者の操作によって、前記積層した可搬型の媒体のうち、めくられた残りの可搬型の媒体に付加された記憶媒体に記憶されている符号を読み出す第２の読出手段と、
前記第１の読出手段によって読み出された符号及び前記第２の読出手段によって読み出された符号に基づいて、積層した前記可搬型の媒体のうち、表面に位置する可搬型の媒体を判断する判断手段と、
前記判断手段によって表面に位置すると判断された可搬型の媒体に付加された記憶媒体に記憶されている符号に応じて、該可搬型の媒体に関する情報を処理装置に処理させるように制御する処理制御手段
として機能させることを特徴とする情報処理プログラム。
【請求項１０】
コンピュータを、
操作者の操作によって、積層した可搬型の媒体のうち、既にめくられた可搬型の媒体に付加された記憶媒体に記憶されている符号を読み出す第１の読出手段と、
操作者の操作によって、前記積層した可搬型の媒体のうち、めくられた残りの可搬型の媒体に付加された記憶媒体に記憶されている符号を読み出す第２の読出手段と、
前記第１の読出手段によって読み出された符号及び前記第２の読出手段によって読み出された符号に基づいて、前記可搬型の媒体が抜き取られたか否かを判断する判断手段
として機能させることを特徴とする情報処理プログラム。
【発明の詳細な説明】
【技術分野】
【０００１】
本発明は、情報処理装置及び情報処理プログラムに関する。
【背景技術】
【０００２】
会議においては、発表用の資料をスクリーンに投影するプロジェクタ等が使われている。また、その際に、会議の参加者は、プロジェクタによって投影されている資料を手元に紙文書として有していることが一般的である。一方、電子ペーパーと呼ばれるシート状のフィルムなどに画像を表示する薄型ディスプレイ技術が開発されている。
【０００３】
これに関連する技術として、例えば、特許文献１には、見開きにされた表示パネルを簡素な構成で認識することのできる表示装置を提供することを課題とし、表示パネルの表裏両面に入力電極及び出力電極をそれぞれ設けると共に、表示パネルに、隣り合う一方の表示パネルの出力電極から入力電極に入力された信号に応じて所定の信号を出力電極から隣り合う他の表示パネルの入力電極に出力する回路を設け、そして、本体に、本体と複数枚の表示パネルの回路との間にそれぞれ設けられた通信手段を介して入力される回路からの信号に応じて見開かれた表示パネルが何番目の表示パネルであるかを認識する認識手段を設け、この認識手段は、回路から入力電極がオープン状態となったことを示す信号が入力されると、信号を出力した回路を備えた表示パネルが見開かれた状態となったと判断することが開示されている。
【０００４】
また、例えば、特許文献２には、任意のタイミングで希望するスライド画面を大画面に表示することが可能な遠隔操作プレゼンテーション制御方法及びシステムを提供することを課題とし、予め、スライドを縮小して印刷しておき、印刷された縮小スライド画面と端末の記憶手段内に格納されているスライド画面情報とを対応付け、遠隔操作可能な薄型リモートコンローラが埋め込まれたセンサ上に、前記印刷された縮小スライド画面の印刷物を置き、説明時に、利用者が前記センサ上の任意の印刷物の縮小スライド画面に触れることにより、該センサが触れられた位置情報を検出し、検出された前記位置情報に基づいて前記大画面に表示するスライド画面情報を前記記憶手段から読み出して、該大画面に表示することが開示されている。
【特許文献１】特開２００６−１６２９０２号公報
【特許文献２】特開２０００−０１０９８５号公報
【発明の開示】
【発明が解決しようとする課題】
【０００５】
ところで、発表等で操作者が手元にある積層した可搬型の媒体のうち表面に位置するその媒体に関する情報をプロジェクタ等に出力するような場合、表面に位置していない媒体の情報を出力してしまうことがある。
本発明は、積層した可搬型の媒体のうち表面に位置するその媒体に関する情報を処理するような場合、表面に位置していない可搬型の媒体に関する情報を処理してしまうことを防止する情報処理装置及び情報処理プログラムを提供することを目的としている。
【課題を解決するための手段】
【０００６】
かかる目的を達成するための本発明の要旨とするところは、次の各項の発明に存する。
請求項１の情報処理装置は、可搬型の媒体に付加された記憶媒体に記憶されている符号を読み出す読出手段と、前記読出手段によって読み出された符号に基づいて、積層した前記可搬型の媒体のうち、表面に位置する可搬型の媒体を判断する判断手段と、前記判断手段によって表面に位置すると判断された可搬型の媒体に付加された記憶媒体に記憶されている符号に応じて、該可搬型の媒体に関する情報を処理装置に処理させるように制御する処理制御手段を具備することを特徴とする。
【０００７】
請求項２の情報処理装置は、請求項１に記載の情報処理装置であって、前記読出手段によって読み出された符号を記憶する記憶手段をさらに具備し、前記判断手段が行う判断は、以前に前記読出手段によって読み出された符号を前記記憶手段から取り出し、該符号及び前記読出手段によって読み出された符号に応じて行うことを特徴とする。
【０００８】
請求項３の情報処理装置は、積層した可搬型の媒体に付加された記憶媒体に記憶されている符号を、積層された順番を特定できるように記憶する記憶手段と、前記可搬型の媒体に付加された記憶媒体に記憶されている符号を読み出す読出手段と、前記読出手段によって読み出された符号及び前記記憶手段に記憶されている符号に基づいて、前記積層した可搬型の媒体のうち、表面に位置する可搬型の媒体を判断する判断手段と、前記判断手段によって表面に位置すると判断された可搬型の媒体に付加された記憶媒体に記憶されている符号に応じて、該可搬型の媒体に関する情報を処理装置に処理させるように制御する処理制御手段を具備することを特徴とする。
【０００９】
請求項４の情報処理装置は、操作者の操作によって、積層した可搬型の媒体のうち、既にめくられた可搬型の媒体に付加された記憶媒体に記憶されている符号を読み出す第１の読出手段と、操作者の操作によって、前記積層した可搬型の媒体のうち、めくられた残りの可搬型の媒体に付加された記憶媒体に記憶されている符号を読み出す第２の読出手段と、前記第１の読出手段によって読み出された符号及び前記第２の読出手段によって読み出された符号に基づいて、積層した前記可搬型の媒体のうち、表面に位置する可搬型の媒体を判断する判断手段と、前記判断手段によって表面に位置すると判断された可搬型の媒体に付加された記憶媒体に記憶されている符号に応じて、該可搬型の媒体に関する情報を処理装置に処理させるように制御する処理制御手段を具備することを特徴とする。
【００１０】
請求項５の情報処理装置は、操作者の操作によって、積層した可搬型の媒体のうち、既にめくられた可搬型の媒体に付加された記憶媒体に記憶されている符号を読み出す第１の読出手段と、操作者の操作によって、前記積層した可搬型の媒体のうち、めくられた残りの可搬型の媒体に付加された記憶媒体に記憶されている符号を読み出す第２の読出手段と、前記第１の読出手段によって読み出された符号及び前記第２の読出手段によって読み出された符号に基づいて、前記可搬型の媒体が抜き取られたか否かを判断する判断手段を具備することを特徴とする。
【００１１】
請求項６の情報処理装置は、請求項１から請求項４のいずれか一項の情報処理装置であって、符号を記憶する記憶媒体をそれぞれに付加している複数の可搬型の媒体と、前記可搬型の媒体に関する情報を記憶する記憶装置と、前記処理制御手段による制御によって、前記可搬型の媒体に関する情報を処理する処理装置をさらに具備し、前記処理制御手段は、前記記憶装置から前記可搬型の媒体に関する情報を取り出すことを特徴とする。
【００１２】
請求項７の情報処理プログラムは、コンピュータを、可搬型の媒体に付加された記憶媒体に記憶されている符号を読み出す読出手段と、前記読出手段によって読み出された符号に基づいて、積層した前記可搬型の媒体のうち、表面に位置する可搬型の媒体を判断する判断手段と、前記判断手段によって表面に位置すると判断された可搬型の媒体に付加された記憶媒体に記憶されている符号に応じて、該可搬型の媒体に関する情報を処理装置に処理させるように制御する処理制御手段として機能させることを特徴とする。
【００１３】
請求項８の情報処理プログラムは、コンピュータを、積層した可搬型の媒体に付加された記憶媒体に記憶されている符号を、積層された順番を特定できるように記憶装置に記憶させるように制御する記憶手段と、前記可搬型の媒体に付加された記憶媒体に記憶されている符号を読み出す読出手段と、前記読出手段によって読み出された符号及び前記記憶装置に記憶されている符号に基づいて、前記積層した可搬型の媒体のうち、表面に位置する可搬型の媒体を判断する判断手段と、前記判断手段によって表面に位置すると判断された可搬型の媒体に付加された記憶媒体に記憶されている符号に応じて、該可搬型の媒体に関する情報を処理装置に処理させるように制御する処理制御手段として機能させることを特徴とする。
【００１４】
請求項９の情報処理プログラムは、コンピュータを、操作者の操作によって、積層した可搬型の媒体のうち、既にめくられた可搬型の媒体に付加された記憶媒体に記憶されている符号を読み出す第１の読出手段と、操作者の操作によって、前記積層した可搬型の媒体のうち、めくられた残りの可搬型の媒体に付加された記憶媒体に記憶されている符号を読み出す第２の読出手段と、前記第１の読出手段によって読み出された符号及び前記第２の読出手段によって読み出された符号に基づいて、積層した前記可搬型の媒体のうち、表面に位置する可搬型の媒体を判断する判断手段と、前記判断手段によって表面に位置すると判断された可搬型の媒体に付加された記憶媒体に記憶されている符号に応じて、該可搬型の媒体に関する情報を処理装置に処理させるように制御する処理制御手段として機能させることを特徴とする。
【００１５】
請求項１０の情報処理プログラムは、コンピュータを、操作者の操作によって、積層した可搬型の媒体のうち、既にめくられた可搬型の媒体に付加された記憶媒体に記憶されている符号を読み出す第１の読出手段と、操作者の操作によって、前記積層した可搬型の媒体のうち、めくられた残りの可搬型の媒体に付加された記憶媒体に記憶されている符号を読み出す第２の読出手段と、前記第１の読出手段によって読み出された符号及び前記第２の読出手段によって読み出された符号に基づいて、前記可搬型の媒体が抜き取られたか否かを判断する判断手段として機能させることを特徴とする。
【発明の効果】
【００１６】
請求項１記載の情報処理装置によれば、積層した可搬型の媒体のうち表面に位置するその媒体に関する情報を処理するような場合、表面に位置していない可搬型の媒体に関する情報を処理してしまうことを防止することができる。
【００１７】
請求項２記載の情報処理装置によれば、表面に位置していない可搬型の媒体に関する情報を処理してしまうことをより的確に防止することができる。
【００１８】
請求項３記載の情報処理装置によれば、積層した可搬型の媒体のうち表面に位置するその媒体に関する情報を処理するような場合、複数枚の可搬型の媒体がめくられたとしても、表面に位置していない可搬型の媒体に関する情報を処理してしまうことを防止することができる。
【００１９】
請求項４記載の情報処理装置によれば、積層した可搬型の媒体のうち表面に位置するその媒体に関する情報を処理するような場合、表面に位置していない可搬型の媒体に関する情報を処理してしまうことをより的確に防止することができる。
【００２０】
請求項５記載の情報処理装置によれば、積層した可搬型の媒体が操作者の操作によってめくられる場合に、その可搬型の媒体が抜き取られたことを検知することができる。
【００２１】
請求項６記載の情報処理装置によれば、積層した可搬型の媒体のうち表面に位置するその媒体に関する情報を処理するような場合、表面に位置していない可搬型の媒体に関する情報を処理してしまうことを防止することができる。
【００２２】
請求項７記載の情報処理プログラムによれば、積層した可搬型の媒体のうち表面に位置するその媒体に関する情報を処理するような場合、表面に位置していない可搬型の媒体に関する情報を処理してしまうことを防止することができる。
【００２３】
請求項８記載の情報処理プログラムによれば、積層した可搬型の媒体のうち表面に位置するその媒体に関する情報を処理するような場合、複数枚の可搬型の媒体がめくられたとしても、表面に位置していない可搬型の媒体に関する情報を処理してしまうことを防止することができる。
【００２４】
請求項９記載の情報処理プログラムによれば、積層した可搬型の媒体のうち表面に位置するその媒体に関する情報を処理するような場合、表面に位置していない可搬型の媒体に関する情報を処理してしまうことをより的確に防止することができる。
【００２５】
請求項１０記載の情報処理プログラムによれば、積層した可搬型の媒体が操作者の操作によってめくられる場合に、その可搬型の媒体が抜き取られたことを検知することができる。
【発明を実施するための最良の形態】
【００２６】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、コンピュータ・プログラム、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させるように制御するの意である。また、モジュールは機能にほぼ一対一に対応しているが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）を含む。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。
【００２７】
以下、可搬型の媒体に付加された記憶媒体として、例えば、ＲＦＩＤ（Ｒａｄｉｏ  Ｆｒｅｑｕｅｎｃｙ  ＩＤｅｎｔｉｆｉｃａｔｉｏｎ）を主に例示して説明する。なお、ＲＦＩＤとは、誘導電磁界又は電波によって、非接触で半導体メモリのデータを読み出し、書込みのために近距離通信を行うものの総称であり、電子タグ、無線ＩＣタグ、ＩＣタグ、非接触ＩＣチップとも言われる。また、ここで、付加は、可搬型の媒体に貼付ける、埋め込む等の形態であってもよい。
可搬型の媒体とは、携帯可能な媒体であり、例えば、薄いシート状のものであり、文字、記号等の符号、図形等を印刷（表示）可能な媒体であり、その素材としては、紙、合成樹脂、電子ペーパー（ＥＰ：Ｅｌｅｃｔｒｏｎｉｃ  Ｐａｐｅｒ、薄型の表示媒体）等が含まれ、折り曲げたり巻いたりできる軟質の紙状の媒体であっても、硬質の板状の媒体であってもよい。以下、可搬型の媒体として、電子ペーパー（以下、ＥＰとも言う）を主に例示して説明する。
可搬型の媒体に関する情報とは、その可搬型の媒体に印刷されている情報に関係するものであり、具体的には、その可搬型の媒体に印刷されている情報そのもの等がある。以下、可搬型の媒体に関する情報として、その可搬型の媒体に印刷されている電子データ（特に電子文書）を主に例示して説明する。
また、可搬型の媒体に関する情報を処理する処理装置として、電子文書をスクリーン等に拡大表示するプロジェクタを主に例示して説明する。
【００２８】
本実施の形態は、ＲＦＩＤ１１、ＲＦＩＤリーダー１２、最表面判断モジュール１３、読取ページ記憶モジュール１４、文書取出モジュール１５、ＲＦＩＤ−ＤｏｃリンクＤＢ（ＤａｔａＢａｓｅ）１６、文書ＤＢ１７、処理モジュール１８を有している。
ＲＦＩＤ１１は、その中に記憶媒体（主に半導体メモリ）を有し、その記憶媒体に符号を記憶している。その符号は、可搬型の媒体をページごとに特定できるものであればよい。そして、通信回線（主に無線）を介してＲＦＩＤリーダー１２によって読み出される。また、ＲＦＩＤ１１はそれぞれのＥＰに付加されており、その複数枚のＥＰが積層した状態にある。
【００２９】
ＲＦＩＤリーダー１２は、最表面判断モジュール１３と接続され、また通信回線を介してＲＦＩＤ１１と接続されている。ＲＦＩＤリーダー１２は、ＲＦＩＤ１１内の記憶媒体に記憶されている符号を読み出し、その符号を最表面判断モジュール１３へ渡す。
また、ＲＦＩＤリーダー１２は複数あってもよい。例えば、第１のＲＦＩＤリーダー１２は、操作者の操作によって、積層したＥＰのうち、既にめくられたＥＰに付加されたＲＦＩＤ１１に記憶されている符号を読み出すようにしてもよく、第２のＲＦＩＤリーダー１２は、操作者の操作によって、積層したＥＰのうち、めくられた残りのＥＰに付加されたＲＦＩＤ１１に記憶されている符号を読み出すようにしてもよい。
【００３０】
読取ページ記憶モジュール１４は、最表面判断モジュール１３からアクセスされ、ＲＦＩＤリーダー１２によって読み出された符号を最表面判断モジュール１３より受け取って記憶する。
また、読取ページ記憶モジュール１４は、積層したＥＰに付加された記憶媒体に記憶されている符号を、その積層された順番を特定できるように記憶するようにしてもよい。これは、事前に、操作者に一枚ずつめくる動作をしてもらい、その順番（ページ順）を記憶するものである。
【００３１】
最表面判断モジュール１３は、ＲＦＩＤリーダー１２、読取ページ記憶モジュール１４、文書取出モジュール１５と接続されている。最表面判断モジュール１３は、ＲＦＩＤリーダー１２によって読み出された符号に基づいて、積層したＥＰのうち、表面に位置するＥＰを判断し、そのＥＰに付加されているＲＦＩＤ１１に記憶されている符号を文書取出モジュール１５へ渡す。表面に位置するＥＰとは、積層したＥＰのうち、操作者が認識できる位置にあるＥＰのことをいい、具体的には、最表面に位置する場合がある。
また、最表面判断モジュール１３は、ＲＦＩＤリーダー１２が読み出した符号を読取ページ記憶モジュール１４に記憶させるようにし、以前にＲＦＩＤリーダー１２によって読み出された符号を読取ページ記憶モジュール１４から取り出し、その符号及びＲＦＩＤリーダー１２によって読み出された符号に応じて、表面に位置するＥＰを判断するようにしてもよい。
また、最表面判断モジュール１３は、ＲＦＩＤリーダー１２によって読み出された符号及び読取ページ記憶モジュール１４に記憶されている符号に基づいて、積層したＥＰのうち、表面に位置するＥＰを判断するようにしてもよい。
また、最表面判断モジュール１３は、第１のＲＦＩＤリーダー１２によって読み出された符号及び第２のＲＦＩＤリーダー１２によって読み出された符号に基づいて、積層したＥＰのうち、表面に位置するＥＰを判断するようにしてもよい。
また、最表面判断モジュール１３は、第１のＲＦＩＤリーダー１２によって読み出された符号及び第２のＲＦＩＤリーダー１２によって読み出された符号に基づいて、積層されたＥＰのうち抜き取られたＥＰがあるか否かを判断するようにしてもよい。
【００３２】
文書取出モジュール１５は、最表面判断モジュール１３、ＲＦＩＤ−ＤｏｃリンクＤＢ１６、文書ＤＢ１７、処理モジュール１８と接続されている。文書取出モジュール１５は、最表面判断モジュール１３によって表面に位置すると判断されたＲＦＩＤ１１に記憶されている符号に応じて、ＲＦＩＤ−ＤｏｃリンクＤＢ１６を用いて、そのＥＰに印刷されている電子文書の文書ＩＤ（ＩＤｅｎｔｉｆｉｃａｔｉｏｎ  ｎｕｍｂｅｒ）を取り出す。そして、その文書ＩＤを用いて、該当する電子文書を文書ＤＢ１７から取り出して、処理モジュール１８に処理させるように制御する。
ＲＦＩＤ−ＤｏｃリンクＤＢ１６は、文書取出モジュール１５からアクセスされ、ＲＦＩＤ１１に記憶されている符号と文書ＩＤとを対にして記憶している。
文書ＤＢ１７は、文書取出モジュール１５からアクセスされ、ＥＰに関する情報、つまり処理モジュール１８によって処理される電子文書を記憶している。その電子文書は、文書ＩＤによって取り出すことができるように記憶されている。
処理モジュール１８は、文書取出モジュール１５と接続されており、文書取出モジュール１５から電子文書を受け取り、文書取出モジュール１５による制御によって、その電子文書の処理を行う。例えば、処理モジュール１８の一種であるプロジェクタが、ＲＦＩＤ１１が付加されているＥＰに印刷されている電子文書をスクリーンに拡大表示する。
【００３３】
図２を用いて、より具体的な本実施の形態の構成例について説明する。なお、図１に示す構成要件との対比を説明しているが、図１に示す構成要件の下位概念（同等の概念の場合を含む）としての具体例として相当するの意である。
ＥＰ２１は、表示領域２１１、ＲＦＩＤ２１２（図１に示すＲＦＩＤ１１に相当する）を有している。表示領域２１１には、電子文書の内容が印刷（表示）されている。その電子文書の内容は、文書ＤＢサーバー２５に記憶されている。なお、ＥＰ２１への電子文書の印刷は、ＥＰ用のライターを用いる。ＲＦＩＤ２１２は、ＥＰ２１に付加されており、ＲＦＩＤ２１２内の記憶媒体には、表示領域２１１に表示されている電子文書の文書ＩＤを特定できるような符号を記憶している。つまり、ＲＦＩＤ２１２に記憶されている符号を用いて、表示領域２１１に表示している電子文書を特定する。ＲＦＩＤ２１２は、通信回線（無線）を介してリーダー＆バインダー２２のＲＦＩＤリーダー２２１と接続されている。
【００３４】
リーダー＆バインダー２２は、ＲＦＩＤリーダー２２１（図１に示すＲＦＩＤリーダー１２に相当する）、見開状態検知モジュール２２２を有している。リーダー＆バインダー２２は、バインダーとしてＥＰ２１を束ねて綴じる（ファイルするとも言う）ものであり、さらに、ＲＦＩＤ２１２との通信を行い、記憶されている符号を読み取る。
【００３５】
見開状態検知モジュール２２２は、ＲＦＩＤリーダー２２１と接続されており、リーダー＆バインダー２２が開かれている状態であるか否かを検知する。そして、開かれている状態であると検知した場合は、ＲＦＩＤリーダー２２１による処理を開始するように制御する。リーダー＆バインダー２２が開かれている状態であるか否かは、例えば、開閉を光学的に検知するようにしてもよいし、操作者が操作する物理的スイッチの状態を検知等するようにしてもよい。
【００３６】
ＲＦＩＤリーダー２２１は、見開状態検知モジュール２２２と接続され、また、通信回線（無線）を介してＥＰ２１のＲＦＩＤ２１２及びプロジェクタ制御装置２３の最表面判断モジュール２３１と接続されている。ＲＦＩＤリーダー２２１は、見開状態検知モジュール２２２により動作を開始する。ＲＦＩＤリーダー２２１の近辺にあるＥＰ２１に付加されているＲＦＩＤ２１２を読み込み、読み込んだ符号をプロジェクタ制御装置２３の最表面判断モジュール２３１へ渡す。なお、ＥＰ２１は薄いので、積み重ねられた複数のＥＰ２１のＲＦＩＤ２１２を、ＲＦＩＤリーダー２２１は読み取ることになる。
【００３７】
プロジェクタ制御装置２３は、最表面判断モジュール２３１（図１に示す最表面判断モジュール１３に相当する）、読取ページ記憶モジュール２３２（図１に示す読取ページ記憶モジュール１４に相当する）、プロジェクタ制御モジュール２３３（図１に示す文書取出モジュール１５に相当する）を有している。
読取ページ記憶モジュール２３２は、最表面判断モジュール２３１からアクセスされ、ＲＦＩＤリーダー２２１が読み取ったＥＰ２１のＲＦＩＤ２１２に記憶されている文書ＩＤ等を記憶する。
【００３８】
最表面判断モジュール２３１は、読取ページ記憶モジュール２３２、プロジェクタ制御モジュール２３３と接続され、また、通信回線を介してリーダー＆バインダー２２のＲＦＩＤリーダー２２１と接続されている。ＲＦＩＤリーダー２２１より符号を受け取り、読取ページ記憶モジュール２３２に記憶させ、リーダー＆バインダー２２内にファイルされているＥＰ２１の表面にあるものを判断する。判断方法については後述する。そして、表面にあると判断したＥＰ２１のＲＦＩＤ２１２に記憶されている符号をプロジェクタ制御モジュール２３３へ渡す。
【００３９】
プロジェクタ制御モジュール２３３は、最表面判断モジュール２３１、プロジェクタ２６と接続され、また通信回線２９を介してＲＦＩＤ−ＤｏｃリンクＤＢサーバー２４、文書ＤＢサーバー２５と接続されている。最表面判断モジュール２３１から受け取った符号を用いて、ＲＦＩＤ−ＤｏｃリンクＤＢサーバー２４からその符号に対応する文書ＩＤを取り出す。その文書ＩＤを用いて、文書ＤＢサーバー２５に記憶されている電子文書の内容を取り出す。そして、その電子文書の内容をプロジェクタ２６へ渡す。
【００４０】
ＲＦＩＤ−ＤｏｃリンクＤＢサーバー２４（図１に示すＲＦＩＤ−ＤｏｃリンクＤＢ１６に相当する）は、通信回線２９を介してプロジェクタ制御装置２３のプロジェクタ制御モジュール２３３と接続されている。
ここで、ＲＦＩＤ−ＤｏｃリンクＤＢサーバー２４に記憶されているＲＦＩＤ−文書ＩＤ対応テーブル９０について、図９に示したデータ構造例を用いて説明する。ＲＦＩＤ−文書ＩＤ対応テーブル９０は、ＲＦＩＤ欄９１、文書ＩＤ欄９２を有している。ＲＦＩＤ欄９１は、ＲＦＩＤ２１２に記憶されている符号を記憶し、文書ＩＤ欄９２は、その符号に対応する文書ＩＤを記憶している。ＲＦＩＤ−文書ＩＤ対応テーブル９０は、ＥＰ２１に電子文書の内容を書き込む場合に、その電子文書を特定できる文書ＩＤとともに、ＲＦＩＤ２１２を特定できる符号を対応させて記憶するものである。
【００４１】
文書ＤＢサーバー２５（図１に示す文書ＤＢ１７に相当する）は、通信回線２９を介してプロジェクタ制御装置２３のプロジェクタ制御モジュール２３３と接続されている。つまり、プロジェクタ制御装置２３から受け取った文書ＩＤで特定される電子文書を検索し、その電子文書の内容をプロジェクタ制御モジュール２３３へ渡す。
プロジェクタ２６（図１に示す処理モジュール１８に相当する）は、プロジェクタ制御装置２３のプロジェクタ制御モジュール２３３と接続されている。プロジェクタ制御モジュール２３３より渡された電子文書の内容をスクリーン等に拡大表示する。つまり、リーダー＆バインダー２２内の表面にあるＥＰ２１の表示領域２１１に表示している電子文書が、スクリーン等に拡大表示されることになる。なお、電子文書の内容を表示できるように画像に変換することはプロジェクタ制御モジュール２３３が行ってもよいし、プロジェクタ２６が行ってもよい。
【００４２】
図３から図８を用いて、ＥＰ２１とリーダー＆バインダー２２の構成例を発表の場面を例にして説明する。
図３を用いて、ＥＰ２１とリーダー＆バインダー２２の構成例を説明する。
ＥＰ２１の左下にＲＦＩＤ２１２が付加されている。そして、リーダー＆バインダー２２は、折りたたむことができ、左側のページにＲＦＩＤリーダー２２１Ａがある。つまり、リーダー＆バインダー２２の左側に積み重ねられるＥＰ２１のＲＦＩＤ２１２を読み取ることができる位置である。なお、リーダー＆バインダー２２はヒンジの機能（ＥＰ２１を束ねる機能）を有しているとともに、リーダー＆バインダー２２の開閉状態をも検知する。
【００４３】
図４を用いて、リーダー＆バインダー２２にＥＰ２１を取り付けた場合の態様例を説明する。
この場合、リーダー＆バインダー２２の左側に積み重ねられるＥＰ２１の一番上にあるもの（図４ではＥＰ２１Ａ）が発表等の対象となっている。つまり、操作者にとっては、ＥＰ２１Ａに表示されている内容がプロジェクタ２６によって表示したいものである。
また、ＥＰ２１をめくる順番は、右側から左側へ行う（図４内の矢印参照）。この場合、ＲＦＩＤリーダー２２１Ａが読み込む対象となるＲＦＩＤ２１２は左側に積み重ねられたものであり、それは発表の進展とともに増えていくこととなる。
【００４４】
図５を用いて、ＥＰ２１とリーダー＆バインダー２２の構成例を説明する。図３に示したものと異なるところは、リーダー＆バインダー２２の右側のページにＲＦＩＤリーダー２２１Ｂがあることである。つまり、リーダー＆バインダー２２の右側に積み重ねられるＥＰ２１のＲＦＩＤ２１２を読み取ることができる位置である。
【００４５】
図６を用いて、リーダー＆バインダー２２にＥＰ２１を取り付けた場合の態様例を説明する。
図４と同じように、この場合、リーダー＆バインダー２２の左側に積み重ねられるＥＰ２１の一番上にあるもの（図６ではＥＰ２１Ａ）が発表等の対象となっている。つまり、操作者にとっては、ＥＰ２１Ａに表示されている内容がプロジェクタ２６によって表示したいものである。
また、ＥＰ２１をめくる順番は、右側から左側へ行う（図６内の矢印参照）。この場合、ＲＦＩＤリーダー２２１Ｂが読み込む対象となるＲＦＩＤ２１２は右側に積み重ねられたものであり、それは発表の進展とともに減っていくこととなる。
【００４６】
図７を用いて、ＥＰ２１とリーダー＆バインダー２２の構成例を説明する。図３に示したものと異なるところは、リーダー＆バインダー２２の左側のページにＲＦＩＤリーダー２２１Ａがあり、右側のページにＲＦＩＤリーダー２２１Ｂがあることである。つまり、リーダー＆バインダー２２の両側に積み重ねられるＥＰ２１のＲＦＩＤ２１２をそれぞれ読み取ることができる位置である。
【００４７】
図８を用いて、リーダー＆バインダー２２にＥＰ２１を取り付けた場合の態様例を説明する。
図４と同じように、この場合、リーダー＆バインダー２２の左側に積み重ねられるＥＰ２１の一番上にあるもの（図８ではＥＰ２１Ａ）が発表等の対象となっている。つまり、操作者にとっては、ＥＰ２１Ａに表示されている内容がプロジェクタ２６によって表示したいものである。
また、ＥＰ２１をめくる順番は、右側から左側へ行う（図８内の矢印参照）。この場合、ＲＦＩＤリーダー２２１Ａが読み込む対象となるＲＦＩＤ２１２は左側に積み重ねられたものであり、それは発表の進展とともに増えていくこととなる。そして、ＲＦＩＤリーダー２２１Ｂが読み込む対象となるＲＦＩＤ２１２は右側に積み重ねられたものであり、それは発表の進展とともに減っていくこととなる。
【００４８】
図１０に示すフローチャートを用いて、本実施の形態の処理例を説明する。以下、表面に位置するＥＰとして最表面にあるものの場合について説明する。
ステップＳ１００２では、リーダー＆バインダー２２の見開状態検知モジュール２２２が見開きの状態になったことを検知する。これによって処理がスタートする。
ステップＳ１００４では、発表の進展に合わせて、操作者はリーダー＆バインダー２２内のＥＰ２１をめくる。
ステップＳ１００６では、ＲＦＩＤリーダー２２１がＲＦＩＤ２１２を読み取る。この場合、図３と図４、図５と図６、又は図７と図８に示した構成によって、読み取るＲＦＩＤ２１２が異なる。つまり、図３と図４に示した構成では、ページめくりしたＥＰ２１のＲＦＩＤ２１２を読み取ることになり、図５と図６に示した構成では、未だページめくりをしていないＥＰ２１（これからページめくりするもの）のＲＦＩＤ２１２を読み取ることになり、図７と図８に示した構成では、両方のＥＰ２１のＲＦＩＤ２１２を読み取ることになる。
【００４９】
ステップＳ１００８では、最表面判断モジュール２３１が、ステップＳ１００６で読み取ったＲＦＩＤ２１２内の符号に基づいて、最表面にあるＥＰ２１を判断する。詳細については、図１１〜図１３に示すフローチャートを用いて説明する。
ステップＳ１０１０では、プロジェクタ制御モジュール２３３が、ステップＳ１００８で最表面にあると判断されたＥＰ２１のＲＦＩＤ２１２内に記憶されている符号を用いて、ＲＦＩＤ−ＤｏｃリンクＤＢサーバー２４を検索し、該当する文書ＩＤを取り出す。
ステップＳ１０１２では、プロジェクタ制御モジュール２３３が、ステップＳ１０１０で取り出された文書ＩＤを用いて、文書ＤＢサーバー２５を検索し、該当する電子文書の内容を取り出す。
ステップＳ１０１４では、プロジェクタ２６が、ステップＳ１０１２で取り出された電子文書の内容を表示する。そして、ステップＳ１００４へ戻り、ステップＳ１００４からステップＳ１０１４の処理を繰り返す。
【００５０】
図１１に示したフローチャートを用いて、図１０に示したフローチャートのステップＳ１００８の一例を説明する。図３と図４に示した形態における処理例である。また、図７と図８に示した形態において、左側にあるＲＦＩＤリーダー２２１Ａが読み込んだものだけを対象としてもよい。
ＲＦＩＤリーダー２２１は、読み取ることができるＲＦＩＤ２１２が複数ある場合は、距離の近いものから読み取ることになる。
ステップＳ１１０２では、最表面判断モジュール２３１が、複数のＲＦＩＤ２１２を読み取った場合は、その最後に読み取ったＲＦＩＤ２１２があるＥＰ２１を最表面にあると判断する。
【００５１】
図１２に示したフローチャートを用いて、図１０に示したフローチャートのステップＳ１００８の一例を説明する。図３と図４に示した形態における処理例である。
ステップＳ１２０２では、最表面判断モジュール２３１が、前回読み取ったＲＦＩＤ２１２と今回読み取ったＲＦＩＤ２１２とで増加した差分を検出する。つまり、直近のステップＳ１００４の前の状態とその後の状態を比べて、差分を検出する。ただし、ステップＳ１００６では、読み取ったＲＦＩＤ２１２に記憶されている符号を前回読み取った符号と区別できるように読取ページ記憶モジュール２３２は記憶する。
ステップＳ１２０４では、最表面判断モジュール２３１が、ステップＳ１２０２で検出した差分の符号を記憶しているＲＦＩＤ２１２のＥＰ２１を最表面にあると判断する。
【００５２】
図１３に示したフローチャートを用いて、図１０に示したフローチャートのステップＳ１００８の一例を説明する。図５と図６に示した形態における処理例である。
ステップＳ１３０２では、最表面判断モジュール２３１が、前回読み取ったＲＦＩＤ２１２と今回読み取ったＲＦＩＤ２１２とで減少した差分を検出する。つまり、直近のステップＳ１００４の前の状態とその後の状態を比べて、差分を検出する。ただし、ステップＳ１００６では、読み取ったＲＦＩＤ２１２に記憶されている符号を前回読み取った符号と区別できるように読取ページ記憶モジュール２３２は記憶する。
ステップＳ１３０４では、最表面判断モジュール２３１が、ステップＳ１３０２で検出した差分の符号を記憶しているＲＦＩＤ２１２のＥＰ２１を最表面にあると判断する。
【００５３】
また、図７と図８に示した形態では、図１２又は図１３に示したフローチャートにおける処理例を行う。この場合、より正確な処理を行うために、両方の処理を行い、両者の結果を比較するようにしてもよい。
【００５４】
図１４に示すフローチャートを用いて、複数枚のＥＰ２１のページめくりが行われた場合にも最表面のＥＰ２１を検知する処理例を示す。
操作者は、本番の発表における操作の前に、予め準備を行う。つまり、ＥＰ２１を１ページずつめくってＥＰ２１の順番を記憶させることを行うものである。
【００５５】
ステップＳ１４０２からステップＳ１４１２の処理が、この準備にあたる。
ステップＳ１４０２からステップＳ１４０８までの処理は、図１０に示したステップＳ１００２からステップＳ１００８の処理と同等である。なお、ステップＳ１４０８の処理は、ＥＰ２１とリーダー＆バインダー２２の形態によって、図１１から図１３に示すフローチャートによる処理例を採用すればよい。
ステップＳ１４１０では、最表面判断モジュール２３１がステップＳ１４０８で判断した最表面の符号を順次、読取ページ記憶モジュール２３２に記憶する。つまり、読取ページ記憶モジュール２３２には、１ページ目の符号、２ページ目の符号、・・・のように記憶される。
ステップＳ１４１２では、最終ページまでページめくりが行われたか否かを判断する。最終ページでなければステップＳ１４０４へ戻り、最終ページであれば（準備が完了した場合）ステップＳ１４１４へ進む。なお、最終ページであるか否かは、読み取った符号に変化がなくなった場合に最終ページまで終了したと判断するようにしてもよいし、操作者の明示的な操作（例えば、操作者がリーダー＆バインダー２２を閉じて、見開状態検知モジュール２２２が閉じられたことを検知した場合）によって判断するようにしてもよい。
【００５６】
ステップＳ１４１４からステップＳ１４２４の処理が、本番の発表における処理にあたる。
ステップＳ１４１４では、発表の進展に合わせて、操作者はリーダー＆バインダー２２内のＥＰ２１をめくる。この場合、複数枚のＥＰ２１のページめくりを行ってもよい。
ステップＳ１４１６は、図１０に示すフローチャートのステップＳ１００６の処理と同様である。
ステップＳ１４１８では、読取ページ記憶モジュール２３２に記憶されているページ順とステップＳ１４１６で読み取った符号とを比較して、最表面のＥＰ２１のＲＦＩＤ２１２に記憶されている符号を取り出す。例えば、読取ページ記憶モジュール２３２に記憶されている符号がページ順に「Ａ」、「Ｂ」、「Ｃ」、「Ｄ」、「Ｅ」であり、ステップＳ１４１６で読み取った符号が「Ａ」、「Ｂ」、「Ｃ」であれば、「Ｃ」が最表面の符号であると判断する。なお、この判断はステップＳ１４１４でのページめくりされた枚数に左右されることなく、またステップＳ１４１６で複数のＲＦＩＤ２１２を読み取った順番に左右されることもない。
ステップＳ１４２０からステップＳ１４２４は、図１０に示すフローチャートのステップＳ１０１０からステップＳ１０１４の処理と同様である。
【００５７】
図１５に示すフローチャートを用いて、ＥＰ２１がリーダー＆バインダー２２から取り外されたことを検知することも行う処理例を示す。図７と図８に示した形態における処理例である。
ステップＳ１５０２、ステップＳ１５０４は、図１０に示すフローチャートのステップＳ１００２、ステップＳ１００４の処理と同様である。
ステップＳ１５０６では、ＲＦＩＤリーダー２２１Ａが左側にあるＥＰ２１のＲＦＩＤ２１２を読み取る。
ステップＳ１５０８では、図１１又は図１２で示したフローチャートの処理例と同様である。最表面のページを最表面ページＡとする。
ステップＳ１５１０では、ＲＦＩＤリーダー２２１Ｂが右側にあるＥＰ２１のＲＦＩＤ２１２を読み取る。
ステップＳ１５１２では、図１３で示したフローチャートの処理例と同様である。最表面のページを最表面ページＢとする。
【００５８】
ステップＳ１５１４では、最表面判断モジュール２３１が、ステップＳ１５０８で判断した最表面ページＡとステップＳ１５１２で判断した最表面ページＢとを比較する。両者が一致する場合は、ステップＳ１５１６へ進み、一致しない場合はステップＳ１５２２へ進む。
ステップＳ１５１６からステップＳ１５２０は、図１０に示すフローチャートのステップＳ１０１０からステップＳ１０１４の処理と同様である。
ステップＳ１５２２では、最表面判断モジュール２３１が、リーダー＆バインダー２２からＥＰ２１が取り外された旨のアラームを発する。そのアラームは、ブザー等であってもよいし、プロジェクタ制御装置２３に備え付けられている表示装置にメッセージを表示する等であってもよい。また、正常の場合にステップＳ１５０６及びステップＳ１５１０で読み込まれた符号の集合と、アラームを発生しなければならない状態でのステップＳ１５０６及びステップＳ１５１０で読み込まれた符号の集合を比較して、メッセージとして抜き取られたページを指摘するようにしてもよい。
【００５９】
なお、本実施の形態としてのプログラムが実行されるコンピュータのハードウェア構成は、図１６に示すように、一般的なコンピュータであり、具体的にはパーソナルコンピュータ、サーバーとなり得るコンピュータ等である。特に、プロジェクタ制御装置２３、ＲＦＩＤ−ＤｏｃリンクＤＢサーバー２４、文書ＤＢサーバー２５のハードウェア構成を示すものである。
最表面判断モジュール２３１、プロジェクタ制御モジュール２３３等のプログラムを実行するＣＰＵ１６０１と、そのプログラムやデータを記憶するＲＡＭ１６０２と、本コンピュータを起動するためのプログラム等が格納されているＲＯＭ１６０３と、補助記憶装置であるＨＤ１６０４（例えばハードディスクを用いることができる）と、キーボード、マウス等のデータを入力する入力装置１６０６と、ＣＲＴや液晶ディスプレイ等の出力装置１６０５と、通信ネットワークと接続するための通信回線インタフェース１６０７（例えばネットワークインタフェースカードを用いることができる）、そして、それらをつないでデータのやりとりをするためのバス１６０８により構成されている。これらのコンピュータが複数台互いにネットワークによって接続されていてもよい。
【００６０】
前述の実施の形態のうち、コンピュータ・プログラムによるものについては、本ハードウェア構成のシステムにソフトウェアであるコンピュータ・プログラムを読み込ませ、ソフトウェアとハードウェア資源とが協働して、前述の実施の形態が実現される。
なお、図１６に示すハードウェア構成は、１つの構成例を示すものであり、本実施の形態は、図１６に示す構成に限らず、本実施の形態において説明したモジュールを実行可能な構成であればよい。例えば、一部のモジュールを専用のハードウェア（例えばＡＳＩＣ等）で構成してもよく、一部のモジュールは外部のシステム内にあり通信回線で接続しているような形態でもよく、さらに図１６に示すシステムが複数互いに通信回線によって接続されていて互いに協調動作するようにしてもよい。また、特に、パーソナルコンピュータの他、情報家電、複写機、ファックス、スキャナ、プリンタ、複合機（スキャナ、プリンタ、複写機、ファックス等のいずれか２つ以上の機能を有している画像処理装置）などに組み込まれていてもよい。
【００６１】
前記実施の形態においては、可搬型の媒体としてＥＰを例示したが、紙であってもよい。その場合、電子文書をプリンタを用いて印刷する。そして、その電子文書ＩＤを記憶しているＲＦＩＤをその紙に付加する、又はＲＦＩＤを付加した後に文書ＩＤを記憶するようにしてもよい。さらにプリンタにＲＦＩＤへの書き込み装置を組み込み、印刷と同時にＲＦＩＤへの書き込みを行うようにしてもよい。
さらに、可搬型の媒体として、透明の袋状のシートに紙等の文書を入れたものであってもよい。そのシートにＲＦＩＤを付加しておく。そして、紙等の文書を特定できる符号を、そのＲＦＩＤに記憶させるようにすればよい。
【００６２】
なお、前記実施の形態において、通信回線は、説明上、無線であることを示したものであったとしても有線による通信であってもよい。逆に、有線のものは無線であってもよい。
なお、前記実施の形態では、発表の場面を想定したものであるが、発表の他に、プレゼンテーション、会議における議論、報告等であってもよい。
また、処理装置として、プロジェクタを例示したが、電子情報を処理するものであればよく、例えば、電子文書の内容を音声で読み上げる装置、翻訳を行う装置、遠隔にある装置へ送信する装置等であってもよい。
【００６３】
また、可搬型の媒体に付加された記憶媒体として、ＲＦＩＤを例示したが、ミューチップ（登録商標）等であってもよい。
また、ＲＦＩＤに記憶されている符号として、ＵＵＩＤ（Ｕｎｉｖｅｒｓａｌｌｙ  Ｕｎｉｑｕｅ  ＩＤｅｎｔｉｆｉｅｒ）を用いることができる。また、符号として、電子文書名とページの組み合わせ等であってもよい。また、符号として、可搬型の媒体に印刷されている内容そのものであってもよい。その場合は、ＲＦＩＤ−ＤｏｃリンクＤＢサーバー２４、文書ＤＢサーバー２５は不要であり、読み取った符号そのものが可搬型の媒体に関する情報となる。さらに、ＲＦＩＤリーダー２２１によって読み取った符号をバッファに蓄え、２度目以降は、そのバッファに蓄えられた符号を用いるようにしてもよい。また、符号として、可搬型の媒体に印刷されている内容を基にして作成したハッシュ値（メッセージ・ダイジェスト）等であってもよい。
前記実施の形態においては、図９で示したデータ構造は、テーブル構造に限られず、他のデータ構造であってもよい。例えば、リンク構造等であってもよい。また、データ項目は、これらに図示したものに限られず、他のデータ項目を有していてもよい。
【００６４】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通などのために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ）、フラッシュ・メモリ、ランダム・アクセス・メモリ（ＲＡＭ）等が含まれる。
そして、前記のプログラム又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにこれらの組み合わせ等の伝送媒体を用いて伝送させてもよく、また、搬送波に乗せて搬送させてもよい。
さらに、前記のプログラムは、他のプログラムの一部分であってもよく、あるいは別個のプログラムと共に記録媒体に記録されていてもよい。また、複数の記録媒体に分割して
記録されていてもよい。また、圧縮や暗号化など、復元可能であればどのような態様で記録されていてもよい。
【図面の簡単な説明】
【００６５】
【図１】本実施の形態の構成例についての概念的なモジュール構成図である。
【図２】本実施の形態の構成例についてのより具体的なモジュール構成図である。
【図３】ＥＰとリーダー＆バインダーの構成例を示す説明図である。
【図４】リーダー＆バインダーにＥＰを取り付けた場合の態様例を示す説明図である。
【図５】ＥＰとリーダー＆バインダーの構成例を示す説明図である。
【図６】リーダー＆バインダーにＥＰを取り付けた場合の態様例を示す説明図である。
【図７】ＥＰとリーダー＆バインダーの構成例を示す説明図である。
【図８】リーダー＆バインダーにＥＰを取り付けた場合の態様例を示す説明図である。
【図９】ＲＦＩＤ−文書ＩＤ対応テーブルのデータ構成例を示す説明図である。
【図１０】本実施の形態の処理例を示すフローチャートである。
【図１１】最表面のページを判断する処理例を示すフローチャートである。
【図１２】最表面のページを判断する処理例を示すフローチャートである。
【図１３】最表面のページを判断する処理例を示すフローチャートである。
【図１４】本実施の形態の処理例を示すフローチャートである。
【図１５】本実施の形態の処理例を示すフローチャートである。
【図１６】本実施の形態を実現するコンピュータのハードウェア構成例を示すブロック図である。
【符号の説明】
【００６６】
１１…ＲＦＩＤ
１２…ＲＦＩＤリーダー
１３…最表面判断モジュール
１４…読取ページ記憶モジュール
１５…文書取出モジュール
１６…ＲＦＩＤ−ＤｏｃリンクＤＢ
１７…文書ＤＢ
１８…処理モジュール
２１、２１Ａ、２１Ｂ、２１Ｃ…ＥＰ
２２…リーダー＆バインダー
２３…プロジェクタ制御装置
２４…ＲＦＩＤ−ＤｏｃリンクＤＢサーバー
２５…文書ＤＢサーバー
２６…プロジェクタ
２９…通信回線
９０…ＲＦＩＤ−文書ＩＤ対応テーブル
９１…ＲＦＩＤ欄
９２…文書ＩＤ欄
２１１…表示領域
２１２、２１２Ａ、２１２Ｂ、２１２Ｃ…ＲＦＩＤ
２２１、２２１Ａ、２２１Ｂ…ＲＦＩＤリーダー
２２２…見開状態検知モジュール
２３１…最表面判断モジュール
２３２…読取ページ記憶モジュール
２３３…プロジェクタ制御モジュール
１６０１…ＣＰＵ
１６０２…ＲＡＭ
１６０３…ＲＯＭ
１６０４…ＨＤ
１６０５…出力装置
１６０６…入力装置
１６０７…通信回線インタフェース
１６０８…バス
【図１】
2009009517.tif 000003
【図２】
2009009517.tif 000004
【図３】
2009009517.tif 000005
【図４】
2009009517.tif 000006
【図５】
2009009517.tif 000007
【図６】
2009009517.tif 000008
【図７】
2009009517.tif 000009
【図８】
2009009517.tif 000010
【図９】
2009009517.tif 000011
【図１０】
2009009517.tif 000012
【図１１】
2009009517.tif 000013
【図１２】
2009009517.tif 000014
【図１３】
2009009517.tif 000015
【図１４】
2009009517.tif 000016
【図１５】
2009009517.tif 000017
【図１６】
2009009517.tif 000018